(57)【特許請求の範囲】
【請求項１】
ベース部材と前記ベース部材を覆って閉鎖する開閉部材とを備え、前記ベース部材に対して前記開閉部材を閉鎖させた状態で遊技に供される遊技機のヒンジ機構であって、
前記遊技機の側部上部または側部下部に配設されて、前記ベース部材に対して前記開閉部材を揺動開閉自在にヒンジ接続させるように構成されており、
前記開閉部材の側部上部または側部下部に取り付けられて、前記開閉部材に対して上下に突出可能なヒンジピン部材と、
前記ベース部材の側部上部または側部下部に取り付けられて、水平に突出する板状部に前記ヒンジピン部材と係合可能なピン孔が形成されたピン受容部材とを備え、
前記ヒンジピン部材を前記ピン孔に係合させることで、前記ベース部材に対して前記開閉部材を揺動開閉自在にヒンジ接続させるように構成されており、
前記ヒンジピン部材は、前記開閉部材に水平に延びて形成されたストッパー部に対して、上下に当接可能に水平に延びる当接部を有しており、
前記ヒンジピン部材は、
前記ストッパー部に対して前記当接部が上下に対向する位置から外れて位置し、前記開閉部材に対して上下動可能な上下動許容回転位置と、
前記ストッパー部に対して前記当接部が上下に対向して位置し、前記当接部が前記ストッパー部に当接して前記開閉部材に対して上下動が規制される上下動規制回転位置とに、その中心軸を中心として回転可能に前記開閉部材に取り付けられており、
前記開閉部材に、前記当接部と係合して前記ヒンジピン部材を前記上下動規制回転位置に保持する回転位置保持部材が設けられ、
前記回転位置保持部材は、前記開閉部材における前記ベース部材側部分に回動可能に設けられるとともに、前記ベース部材側に突出する開閉側閉鎖規制部を有しており、
前記ベース部材における前記開閉部材側部分に、
前記回転位置保持部材が前記当接部と係合する係合回動位置を外れた回動位置に位置する状態で、前記ベース部材に対して前記開閉部材が閉鎖されるときに、前記開閉側閉鎖規制部と当接して前記開閉部材の閉鎖を規制するベース側閉鎖規制部が設けられたことを特徴とする遊技機のヒンジ機構。
【発明の詳細な説明】
【技術分野】
【０００１】
本発明は、遊技機のベース部材と開閉部材との間に配設され、ベース部材と開閉部材とを相対的に揺動開閉自在に接続する遊技機のヒンジ機構に関する。
【背景技術】
【０００２】
遊技機のうちで弾球遊技機の代表例であるパチンコ機は、前面に遊技領域を形成する遊技盤を立設姿勢で収容保持する前枠に対して、前面に遊技領域を臨ませるガラス扉が揺動開閉自在に装着されるとともに、背面に各種制御基板が取り付けられる裏セット盤が揺動開閉自在に装着されて構成される。そして、上球皿に貯留された遊技球を発射装置に送り、この発射装置により遊技領域上部に発射された遊技球を落下させる過程で遊技領域内に設けた各種の入賞装置に入賞させる遊技を行うように構成されている。
【０００３】
このようなパチンコ機においては、前枠に対してガラス扉を揺動開閉自在に装着させる機構、および前枠に対して裏セット盤を揺動開閉自在に装着させる機構として、一方側に上下に延びるヒンジピンを配設するとともに、他方側にヒンジピンが係合可能なピン孔が形成されたピン受容部材を配設して構成されるヒンジ機構が、従来広く用いられている。この遊技機のヒンジ機構には種々の形態のものが存在するが、前枠とガラス扉との間に設けられた一例について説明すると、ガラス扉に対してヒンジピンを上下に移動可能に設けることで、前枠に配設されたピン受容部材のピン孔との係合を解除して、前枠に対してガラス扉を取り外すことができるように構成されたものが存在する。例えば特許文献１には、上側ヒンジピン６を下方へ押し下げることでピン挿通孔１４ａから外れ、基枠Ｂとガラス枠Ｃとの連結が解除される構成が開示されている。
【先行技術文献】
【特許文献】
【０００４】
【特許文献１】特開２００２−２１９２５３号公報
【発明の概要】
【発明が解決しようとする課題】
【０００５】
ところで、最近において、例えばガラス扉と前枠との間を無理やり押し広げてスペースを作り出し、このスペースに工具等を挿入して行われる不正行為が問題となっている。ここで特に、ガラス扉に対してヒンジピンが上下に移動可能となったヒンジ機構が設けられたパチンコ機においては、上記不正行為をより行い易くするために、ガラス扉と前枠との僅かなスペースに挿入した工具を用いてヒンジピンを下方に押し下げることで、ピン受容部材のピン孔とヒンジピンとの係合を解除し、ガラス扉と前枠との間にスペースを作り出すことが行われる場合がある。このように、前枠に対してガラス扉を着脱可能に装着させるためにヒンジピンを上下に移動可能に設けたヒンジ機構においては、ヒンジピンを操作することで比較的簡単に前枠とガラス扉との間に隙間を作り出すことができてしまうので、前枠とガラス扉との間に隙間を作り出して行われる不正行為を防止することが難しいという課題があった。
【０００６】
本発明は、このような課題に鑑みてなされたものであり、ヒンジピンを上下に移動可能に配設した構成でありながら、枠間に隙間を形成して行われる不正行為を防止可能な遊技機のヒンジ機構を提供することを目的とする。
【課題を解決するための手段】
【０００７】
このような目的達成のために、本発明に係る遊技機のヒンジ機構は、ベース部材（例えば、実施形態における前枠２）と前記ベース部材を覆って閉鎖する開閉部材（例えば、実施形態におけるガラス扉５）とを備え、前記ベース部材に対して前記開閉部材を閉鎖させた状態で遊技に供される遊技機（例えば、実施形態におけるパチンコ機ＰＭ）のヒンジ機構であって、前記遊技機の側部上部または側部下部に配設されて、前記ベース部材に対して前記開閉部材を揺動開閉自在にヒンジ接続させるように構成されており、前記開閉部材の側部上部または側部下部に取り付けられて、前記開閉部材に対して上下に突出可能なヒンジピン部材（例えば、実施形態におけるヒンジピン３０）と、前記ベース部材の側部上部または側部下部に取り付けられて、水平に突出する板状部に前記ヒンジピン部材と係合可能なピン孔が形成されたピン受容部材（例えば、実施形態における板状部材３ｂ）とを備え、前記ヒンジピン部材を前記ピン孔に係合させることで、前記ベース部材に対して前記開閉部材を揺動開閉自在にヒンジ接続させるように構成されており、前記ヒンジピン部材は、前記開閉部材に水平に延びて形成されたストッパー部（例えば、実施形態における上下動規制片７０）に対して、上下に当接可能に水平に延びる当接部（例えば、実施形態における係合当接部３２）を有しており、前記ヒンジピン部材は、前記ストッパー部に対して前記当接部が上下に対向する位置から外れて位置し、前記開閉部材に対して上下動可能な上下動許容回転位置と、前記ストッパー部に対して前記当接部が上下に対向して位置し、前記当接部が前記ストッパー部に当接して前記開閉部材に対して上下動が規制される上下動規制回転位置とに、その中心軸を中心として回転可能に前記開閉部材に取り付けられており、前記開閉部材に、前記当接部と係合して前記ヒンジピン部材を前記上下動規制回転位置に保持する回転位置保持部材（例えば、実施形態におけるピンロック部材４０）が設けられ、前記回転位置保持部材は、前記開閉部材における前記ベース部材側部分に回動可能に設けられるとともに、前記ベース部材側に突出する開閉側閉鎖規制部（例えば、実施形態における扉側閉鎖規制部４１ａ）を有しており、前記ベース部材における前記開閉部材側部分に、前記回転位置保持部材が前記当接部と係合する係合回動位置を外れた回動位置に位置する状態で、前記ベース部材に対して前記開閉部材が閉鎖されるときに、前記開閉側閉鎖規制部と当接して前記開閉部材の閉鎖を規制するベース側閉鎖規制部（例えば、実施形態における枠側閉鎖規制部８０）が設けられたことを特徴とする。
【発明の効果】
【０００９】
本発明に係る遊技機のヒンジ機構は、当接部と係合することで、ヒンジピン部材を上下動が規制された上下動規制回転位置に保持する回転位置保持部材が設けられて構成されている。そのため、この回転位置保持部材を用いてヒンジピン部材を上下動規制回転位置に保持させた状態でベース部材に対して開閉部材を閉鎖させることで、ベース部材と開閉部材との隙間に挿入した工具を用いてヒンジピン部材を上下動させる不正行為を確実に防止可能となる。よって、ヒンジピンを上下に移動可能に配設した構成でありながら、枠間に隙間を形成して行われる不正行為を防止できる。
【００１０】
なお、回転位置保持部材に、ベース部材側に突出する開閉側閉鎖規制部が形成され、ベース部材に、開閉側閉鎖規制部と当接して開閉部材の閉鎖を規制するベース側閉鎖規制部が形成された構成が好ましい。このように構成した場合、回転位置保持部材が当接部と係合する回転位置を外れた位置にあるときに、開閉側閉鎖規制部とベース側閉鎖規制部とが当接することでベース部材に対する開閉部材の閉鎖が規制される。そのため、回転位置保持部材を回動させて、ヒンジピン部材を上下動規制回転位置に保持させた場合に限ってベース部材に対して開閉部材を閉鎖可能となり、ヒンジピン部材が上下動許容回転位置のままで閉鎖されることを確実に防止できる。
【図面の簡単な説明】
【００１１】
【図１】本発明に係るパチンコ機ＰＭの正面図である。
【図２】上記パチンコ機ＰＭの背面図である。
【図３】前枠に対してガラス扉が開いた状態を示す斜視図である。
【図４】ピンロック部材（ヒンジピンと係合前の状態）の斜視図である。
【図５】ピンロック部材（ヒンジピンと係合途中の状態）の斜視図である。
【図６】ピンロック部材（ヒンジピンと係合後の状態）の斜視図である。
【図７】前枠に対してガラス扉が閉鎖される途中の状態を示す平面図である。
【図８】前枠に対してガラス扉が閉鎖された状態を示す平面図である。
【図９】扉側閉鎖規制部と枠側閉鎖規制部とが当接した状態を示す平面図である。
【図１０】ピンロック部材の変形例を示す斜視図である。
【発明を実施するための形態】
【００１２】
以下、本発明の好ましい実施形態について図面を参照しながら説明する。以下においては、遊技機の代表例としてのパチンコ機に本発明を適用した例について説明する。本発明に係るヒンジ機構３（３ａ）について説明する前に、まず図１〜図３を参照しながら、本発明に係るパチンコ機ＰＭの全体構成について概要説明する。
【００１３】
パチンコ機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１４】
前枠２の前面側には、前枠２の上部前面域に合わせた方形状のガラス扉５が上下のヒンジ機構３ａを利用して横開き開閉および着脱可能に組み付けられ（図３参照）、施錠装置４を利用して常には前枠２の前面を覆う閉鎖状態に保持される。ガラス扉５の背後に位置する前枠２の前面側には、遊技盤１０を着脱可能に収容する収容枠９が設けられており、この収容枠９の上部領域に遊技盤１０が後方から着脱可能にセット保持され、常には閉鎖保持されるガラス扉５を通して遊技盤１０の正面の遊技領域を臨ませるようになっている。
【００１５】
図１では遊技盤１０の詳細な図示を省略しているが、遊技盤１０の前面には略円形の遊技領域が区画形成され、この遊技領域に多数本の遊技釘とともに風車や各種入賞具、遊技の進行状況に応じて所定の画像が表示される画像表示装置などの遊技構成部品が取り付けられ、遊技領域の下端部に入賞具に入賞せずに落下した遊技球を遊技盤１０の裏面側に排出させるアウト口が設けられている。
【００１６】
図１および３に示すように、ガラス扉５の前面側下部には、前方に突出した上球皿６が設けられるとともに、この上球皿６の下方に下球皿７が設けられている。また、下球皿７の右側には、遊技球の発射操作を行う操作ハンドル８が設けられている。
【００１７】
前枠２の裏面側には、中央に前後連通する窓口を有して前枠２よりもやや小型の方形枠状に形成された裏セット盤２０が、上下のヒンジ機構３により横開き開閉および着脱可能に取り付けられている。この裏セット盤２０には、図２および図３に示すように、遊技球を貯留する球貯留タンク２１、球貯留タンク２１から右方に緩やかな下り傾斜を有して延びるタンクレール２２、タンクレール２２の右端部に繋がり下方に延びる整列待機通路２３、整列待機通路２３の下端部に繋がって設けられた球払出装置２４、球払出装置２４の下方に設けられて球払出装置２４から払い出された遊技球を上球皿６に導く上球皿用球払出通路（図示せず）、この上球皿用球払出通路から分岐して上球皿用球払出通路内に溢れた遊技球を下球皿７に導く下球皿用球払出通路（図示せず）、遊技領域に到達しなかったファール球を下球皿７に導くファール球導出通路（図示せず）等が設けられている。また、裏セット盤２０の裏面各部には、電源基板アッセンブリや主基板アッセンブリ等の各種制御基板アッセンブリが取り付けられている。
【００１８】
このように構成されるパチンコ機ＰＭでは、前枠２に対してガラス扉５および裏セット盤２０が閉止されて施錠された状態で遊技に供され、上球皿６に遊技球を貯留させて操作ハンドル８を回動操作することにより遊技が開始される。操作ハンドル８が回動操作されると、上球皿６に貯留された遊技球が遊技球発射装置（図示せず）により１球ずつ遊技盤１０の遊技領域に打ち出され、以降パチンコゲームが展開される。
【００１９】
以上ここまでは、パチンコ機ＰＭの全体構成について概要説明した。上述したように、前枠２とガラス扉５とは、上下一対のヒンジ機構３ａを利用して横開き開閉および着脱可能に組み付けられており、例えば球払出装置２４から払い出された遊技球を上球皿６に導くように前枠２を通って形成された上球皿用球払出通路に遊技球が詰まった場合には、このヒンジ機構３ａを利用して前枠２に対してガラス扉５を前方に開いてメンテナンスを行うことができるようになっている。また、例えばガラス扉５を修理するために、前枠２からガラス扉５を取り外す場合があるが、このときもヒンジ機構３ａを利用してガラス扉５を取り外すことができるようになっている。
【００２０】
それでは、以下においては、前枠２とガラス扉５とを横開き開閉および着脱可能に接続するヒンジ機構３ａの構成ついて、図４を参照しながら説明する。
【００２１】
ヒンジ機構３ａは、図４に示すように、前枠２の側部上下に一対となって固設されて水平方向に延び、後述するヒンジピン３１と係合するピン孔（図示せず）が上下に貫通形成された板状部材３ｂと、ガラス扉５の側部上下に一対となって設けられた扉側ヒンジ機構３ｃとから構成される。
【００２２】
扉側ヒンジ機構３ｃは、ガラス扉５の内部に上下動可能に収容されたヒンジピン３０、このヒンジピン３０と係合可能なピンロック部材４０、ガラス扉５とピンロック部材４０との間に挟持されて取り付けられた位置決め部材５０、ヒンジピン３０をガラス扉５に収容保持させた状態でヒンジピン３０の後面側を覆うカバー部材６０とから構成される。
【００２３】
ヒンジピン３０は、板状部材３ｂのピン孔と係合してガラス扉５を揺動開閉自在に支持可能な強度を有しており、上下に延びたピン本体部３１と、このピン本体部３１の下端部が水平方向に折曲されてガラス扉５の後面側に突出する係合当接部３２とから構成される。このヒンジピン３０は、ガラス扉５の内部に配設された圧縮バネ（図示せず）により常時上方に向けて付勢されるとともに、ピン本体部３１を回転中心として係合当接部３２を左右に振って回転させることができるように、ガラス扉５に収容保持されている。
【００２４】
ピンロック部材４０は、左右に延びたロック基部４１と、ロック基部４１の一端に繋がって上下に延びたツマミ部４２と、ロック基部４１の他端に繋がって上下に延びた係合部４３とから構成される。ロック基部４１の左右中央部分には、後面側（前枠２側）に突出した扉側閉鎖規制部４１ａが形成されている。また、係合部４３の下部の紙面左側には、ヒンジピン３０の係合当接部３２とスムーズに係合できるように、斜めに傾斜したテーパ部４３ａが形成されている。ツマミ部４２の前面側には、後述する位置決め部材５０に形成された開放位置保持突起５２（図６参照）および係合位置保持突起５３と係合可能な係合凹部（図示せず）が上下に延びて形成されている。このピンロック部材４０は、軸部材４５によってガラス扉５の後面側に取り付けられており、この軸部材４５を中心としてガラス扉５の後面に沿って回転可能となっている。
【００２５】
位置決め部材５０は、ガラス扉５とピンロック部材４０との間に挟持された状態で、軸部材４５によってガラス扉５に固定されている。位置決め部材５０は、略平板状に形成された基部５０ａに対し、後方に向けて開放位置ストッパー５１、開放位置保持突起５２、係合位置保持突起５３、および係合位置ストッパー５４が立設されて構成されている。
【００２６】
カバー部材６０は平板状の部材であって、ガラス扉５に収容保持されたヒンジピン３０の係合当接部３２が当接することで、この係合当接部３２をピンロック部材４０側に向けた状態で斜め後方に突出させる傾斜端部６１が形成されている。また、ガラス扉５におけるヒンジピン３０が収容される領域には、水平方向に延びて形成された上下動規制片７０が形成されている。そのため、ヒンジピン３０は、係合当接部３２と傾斜端部６１とが当接して係合当接部３２と上下動規制片７０とが上下に対向することなく上下動が許容された上下動許容回転位置（図４参照）と、係合当接部３２の下方に上下動規制片７０が位置して（係合当接部３２と上下動規制片７０とが上下に対向して）、係合当接部３２に上下動規制片７０が当接することで上下動が規制される上下動規制回転位置（図６参照）とに、回転可能となっている。なお、ヒンジピン３０は、上下動許容回転位置においては、圧縮バネによって上方に付勢されて、ピン本体部３１の上端部がガラス扉５から上方に突出している。
【００２７】
以上ここまでは、ヒンジ機構３ａの構成について説明した。ところで、前枠２からガラス扉５を取り外すときには、ヒンジ機構３ａを利用して前枠２に対してガラス扉５を開放させておき、この状態で上下動許容回転位置に位置させたヒンジピン３０を下方に押し下げることで、ピン孔とピン本体部３１との係合を解除させる。一方、前枠２にガラス扉５を取り付けるときには、ヒンジピン３０を上下動許容回転位置に位置させて下方に押し下げておき、この状態でピン孔とピン本体部３１との位置を合わせてヒンジピン３０を上方に移動させて突出させることで、ピン孔とピン本体部３１とが係合されて、前枠２とガラス扉５とが横開き開閉可能に接続される。
【００２８】
このようにヒンジ機構３ａは、ヒンジピン３０を上下動させることで、ピン孔とピン本体部３１とを係脱できるように構成されている。最近において、このようなヒンジ機構３ａの構成を利用して、前枠２とガラス扉５との僅かな隙間に工具を挿入し、その工具を利用してヒンジピン３０（係合当接部３２）を下方に押し下げてピン孔とピン本体部３１との係合を解除させ、前枠２とガラス扉５との間に大きな隙間を作って不正行為が行われるという問題が発生している。そこで、本発明を適用したパチンコ機ＰＭにおいては、このようなヒンジピン３０（係合当接部３２）を下方に押し下げて行われる不正行為を効果的に防止するために、ピンロック部材４０を設けている。それでは、このピンロック部材４０の作動について、図４〜図６を参照しながら以下に詳しく説明する。
【００２９】
まず、前枠２に対してガラス扉５を閉鎖させる前に、図４に示すように、上下動許容回転位置に位置したヒンジピン３０に対して、開放位置保持突起５２と係合凹部とが係合して開放位置に位置したピンロック部材４０を、軸部材４５を中心に時計回りに回動させる。ここで、上記開放位置においては、開放位置保持突起５２と係合凹部とが係合するように構成されているので、ピンロック部材４０が開放位置に位置していることが感触（クリック感）として分かるようになっている。
【００３０】
上述のようにして、ピンロック部材４０を開放位置から回動させることで、係合部４３のテーパ部４３ａと係合当接部３２とが当接して、係合当接部３２が位置決め部材５０側に向くようにヒンジピン３０が回転される（図５参照）。図５に示すテーパ部４３ａと係合当接部３２とが当接した状態からさらにピンロック部材４０を回動させると、係合当接部３２が上下動規制片７０と上下に対向する上下動規制回転位置に回転される（図６参照）。このようにして、ヒンジピン３０が上下動規制回転位置に位置したときには、ピンロック部材４０は、係合位置保持突起５３と係合凹部とが係合する係合位置に位置している。そのため、ピンロック部材４０が係合位置に位置していることが感触（クリック感）として分かるようになっている。また、位置決め部材５０に、開放位置ストッパー５１および係合位置ストッパー５４が形成されており、これによってピンロック部材４０が開放位置と係合位置との間を外れて大きく回動されないように規制されている。
【００３１】
図６に示すように、係合部４３と係合当接部３２とが当接されて、係合当接部３２が上下動規制片７０と上下に対向する上下動規制回転位置に保持された状態においては、ヒンジピン３０（係合当接部３２）を下方に押し下げようとしても、係合当接部３２が上下動規制片７０に当接して押し下げることができないようになっている。そのため、このように、ピンロック部材４０によりヒンジピン３０を上下動規制回転位置に保持した状態で前枠２に対してガラス扉５を閉鎖させることで、前枠２とガラス扉５との隙間に挿入した工具を用いてヒンジピン３０を押し下げる行為を確実に防止できる。よって、前枠２とガラス扉５との間に大きな隙間を形成して行われる不正行為を効果的に防止可能となる。
【００３２】
以上の説明から分かるように、ピンロック部材４０を回動させてヒンジピン３０を上下動規制回転位置に保持することで、不正行為防止に効果が発揮されるのであるが、万が一ピンロック部材４０を回動させるのを忘れたまま（ヒンジピン３０が上下動許容回転位置のまま）前枠２に対してガラス扉５が閉鎖されると、不正行為防止に十分な効果が発揮されない虞がある。そこで、本発明に係るパチンコ機ＰＭにおいては、ピンロック部材４０によりヒンジピン３０が上下動規制回転位置に保持されていない（ピンロック部材４０が係合位置に位置していない）状態では、前枠２に対してガラス扉５が閉鎖できないように構成されている。これにより、ヒンジピン３０が上下動許容回転位置のままで、前枠２に対してガラス扉５が閉鎖されることを確実に防止できるようになっている。それでは、上下動許容回転位置ではガラス扉５の閉鎖が規制される構成について、図７〜図９を参照しながら以下に説明する。
【００３３】
図７に示すように、前枠２の前面側におけるピンロック部材４０と対向する部分には、前方に突出する枠側閉鎖規制部材８０が設けられている。この枠側閉鎖規制部材８０は、図７および図８に示すように、ピンロック部材４０が係合位置に位置している状態で前枠２に対してガラス扉５を閉鎖させても扉側閉鎖規制部４１ａと当接せず、一方、図９に示すように、ピンロック部材４０が係合位置以外（例えば、開放位置）に位置している場合には扉側閉鎖規制部４１ａと当接する位置に設けられている。そのため、ピンロック部材４０が係合位置に位置している場合、すなわち、係合部４３と係合当接部３２とが係合してヒンジピン３０が上下動規制回転位置に保持されている場合に限って、前枠２に対してガラス扉５が閉鎖可能となっている。よって、ヒンジピン３０が上下動許容回転位置のままで、前枠２に対してガラス扉５が閉鎖されることが確実に防止されて、ピンロック部材４０による不正行為防止の効果が十分に発揮できる。
【００３４】
上述の実施形態においては、真っ直ぐに延びた係合部４３を備えたピンロック部材４０を例示して説明したが、ピンロック部材４０の形状はこれに限定されない。例えば図１０に示すピンロック部材４０'のように、係合部４３の先端部内側になだらかに傾斜するテーパ４３ｂが形成されるとともに、このテーパ部４３ｂの上端部に引掛け部４３ｃが形成された構成でも良い。このピンロック部材４０'を用いた場合には、係合当接部３２に係合部４３を係合させるときに、テーパ部４３ｂを利用して係合当接部３２をスムーズに引掛け部４３ｃに導くことができる。そして、図１０に示すように、係合当接部３２を引掛け部４３ｃに載置させて保持することで、例えば係合当接部３２を下方に押し下げようとする不正行為に対しても、係合当接部３２を確実に上下動規制位置に保持することができる。
【００３５】
また、上述の実施形態においては、前枠２とガラス扉５とを接続する上下一対のヒンジ機構に本発明を適用した構成例について説明したが、本発明はこの構成に限定して適用されるものではない。例えば、前枠２とガラス扉５とを接続する上下一対のヒンジ機構のうち、上下いずれか一方に本発明を適用した構成も可能である。また、前枠２と裏セット盤２０とを揺動開閉および着脱可能に接続するヒンジ機構や、外枠１に対して前枠２を揺動開閉および着脱可能に接続するヒンジ機構にも、本発明を適用可能である。
【００３６】
なお、以上説明した実施形態では、本発明の適用対象となる遊技機の一例としてパチンコ機を例示して説明したが、これに限定されるものではない。すなわち、ヒンジ機構を用いてベース部材に対して開閉部材を揺動開閉可能に接続する構成の遊技球全般に適用可能であり、例えばスロットマシン、アレンジボール、雀球遊技機等についても同様に適用可能であり、同様の効果を得ることができるものである。
【符号の説明】
【００３７】
ＰＭ    パチンコ機（遊技機）
２      前枠（ベース部材）
３ａ    ヒンジ機構
３ｂ    板状部材（ピン受容部材）
５      ガラス扉（開閉部材）
３０    ヒンジピン（ヒンジピン部材）
３２    係合当接部（当接部）
４０    ピンロック部材（回転位置保持部材）
４１ａ  扉側閉鎖規制部（開閉側閉鎖規制部）
７０    上下動規制片（ストッパー部）
８０    枠側閉鎖規制部（ベース側閉鎖規制部）
【図１】
0005403559.tif 000002
【図２】
0005403559.tif 000003
【図３】
0005403559.tif 000004
【図４】
0005403559.tif 000005
【図５】
0005403559.tif 000006
【図６】
0005403559.tif 000007
【図７】
0005403559.tif 000008
【図８】
0005403559.tif 000009
【図９】
0005403559.tif 000010
【図１０】
0005403559.tif 000011